(57)【要約】【課題】押さえ片の起立方向へ付勢と、カバーの支持を同じ弾性部材により行うようにする。【解決手段】ロールペーパーＲを回転可能に保持するホルダー本体４に揺動可能に取り付けられるカバー６上に固定されるものであり、カバー６上に固定される受け板１１上にスライド板１２が前後方向に出し入れ可能に保持される。受け板１１に起伏可能に設けられた押さえ片１４に後方へ突出する板ばね２１が設けられ、その板ばね２１が突出端を取り付け板２に突き当てて押さえ片１４を起立方向に付勢する。押さえ片１４が受け板１１へ押さえられたときに、スライド板１２がリンク片１５を介して前方に移動して受け板１１の前端から突出する。板ばね２１により起立方向に付勢される押さえ片１４は、起立状態に支持され、リンク片１５を介してスライド板１２を支え、スライド板１２はこれに係合するガイド片１８で受け板１１を支える。受け板１１はカバー６に固定されるため、カバー６が押さえ片１４によって支えられる。【選択図】図１
2011103995.tif 000002
【特許請求の範囲】
【請求項１】
壁面に固定される取り付け板(２)の両側に設けた一対の側板(３)の間にロールペーパーを回転可能に保持するホルダー本体(４)に前記ロールペーパーの外周面に沿って湾曲するカバー(６)を揺動可能に設けたロールペーパーホルダーにおいて、そのカバー(６)上に取り付けるロールペーパー用切断具であって、
前記カバー(６)に沿って湾曲する受け板(１１)と、前記受け板(１１)上で前後方向に前端から出し入れ可能に、かつ上方に前記受け板(１１)と一体となるように保持されるスライド板(１２)と、前記受け板(１１)の後端部に起伏可能に設けられる押さえ片(１４)と、前記押さえ片(１４)に一部が取り付けられる弾性部材とを有し、その弾性部材は前記取り付け板(２)に向かって突出し、その突出端が前記取り付け板(２)と前記カバー(６)との間に差し込まれて前記取り付け板(２)に突き当たるものであり、前記スライド板(１２)はその前端縁が前記ロールペーパーの切り刃となり、前記スライド板(１２)と前記押さえ片(１４)とはリンク片(１５)により連結され、前記弾性部材を前記取り付け板(２)と前記カバー(６)との間に差し込んだ状態で前記受け板(１１)は前記カバー(６)上に固定され、前記弾性部材はその突出端を前記取り付け板(２)に突き当てて前記押さえ片(１４)を起立方向に付勢し、前記押さえ片(１４)が前記受け板(１１)に向かって押さえられたときに、前記スライド板(１２)が前記リンク片(１５)を介して前方に向かって移動して前記受け板(１１)の前端から突出するようにしたロールペーパー用切断具。
【請求項２】
前記受け板(１１)に前記スライド板(１２)の後方への移動を一定位置で規制するストッパ(１９)を備えた請求項1に記載のロールペーパー用切断具。
【請求項３】
前記弾性部材が板ばね(２１)であり、前記板ばね(２１)はその一端部が前記押さえ片(１４)に取り付けられ、他端部が前記取り付け板(２)に向かって突出する前記突出端とされた請求項１または２に記載のロールペーパー用切断具。
【請求項４】
前記弾性部材がねじりコイルばね(２６)であり、前記ねじりコイルばね(２６)はその一端部が前記押さえ片(１４)に設けられ、他端部が前記取り付け板(２)に向かって突出する前記突出端とされ、前記ねじりコイルばね(２６)は、通常状態において、その他端部が前記取り付け板(２)に突き当たるようにした請求項１または２に記載のロールペーパー用切断具。
【請求項５】
前記受け板(１１)にその両側縁を覆う保護板(２４)を備え、その保護板(２４)は前記スライド板(１２)が前後方向に出し入れ可能な状態で前記受け板(１１)上に取り付けられた請求項１から４のいずれか１つに記載のロールペーパー用切断具。
【請求項６】
壁面に固定される取り付け板(２)の両側に設けた一対の側板(３)の間にロールペーパーを回転可能に保持するホルダー本体(４)に前記ロールペーパーの外周面に沿って湾曲するカバー(６)を揺動可能に設けたロールペーパーホルダーにおいて、
前記カバー(６)は、その上部で前後方向に前端から出し入れ可能に、かつ上方には一体となるように保持されるスライド板(１２)と、そのカバー(６)の後端部に起伏可能に設けられる押さえ片(１４)と、前記押さえ片(１４)に一部が取り付けられる弾性部材とを有し、その弾性部材は前記取り付け板(２)に向かって突出し、その突出端が前記取り付け板(２)と前記カバー(６)との間に差しこまれてその取り付け板(２)に突き当たるものであり、前記スライド板(１２)はその前端縁が前記ロールペーパーの切り刃となり、前記スライド板(１２)と前記押さえ片(１４)とはリンク片(１５)により連結され、前記弾性部材はその突出端を前記取り付け板(２)に突き当てて前記押さえ片(１４)を起立方向に付勢し、前記押さえ片(１４)が前記カバー(６)に向かって押さえられたときに、前記スライド板(１２)が前記リンク片(１５)を介して前方に向かって移動して前記カバー(６)の前端から突出するようにしたことを特徴とするロールペーパーホルダー。
【発明の詳細な説明】
【技術分野】
【０００１】
この発明は、ロールペーパーを保持するロールペーパーホルダーに取り付けるロールペーパー用切断具及びそれを用いたロールペーパーホルダーに関するものである。
【背景技術】
【０００２】
一般に、トイレ内の便器付近の壁面にロールペーパーを回転可能に保持するロールペーパーホルダーが取り付けられている。このロールペーパーホルダーとして、従来から、壁面に固定する取り付け板の両側に側板が設けられ、取り付け板の上部にロールペーパーを覆う湾曲したカバーが揺動可能に取り付けられ、両側板の内部に設けられた一対の支持アームによりロールペーパーを回転可能に支えるものが使用されている。
【０００３】
上記のロールペーパーホルダーは、ロールペーパーを回転して所要長さのペーパーを引き出し、カバーを手で押さえてロールペーパーの回転を止めるとともに、カバーを押さえた状態でペーパーを引き上げてその前端縁でペーパーを切断する。
【０００４】
しかし、カバーの前端縁でペーパーを切断したままであれば、ロールペーパー側のペーパーの端部がカバーの下面に隠れてしまう。このため、次の使用者がロールペーパーを使用するには、カバーを開いてロールペーパーから離した状態で、ペーパーの端部を手でつまんで引き出すか、または、手でロールペーパーを回転させてペーパーの端部をカバーの前端縁よりも前方に取り出すかしなければならず、このペーパーの引き出し作業が面倒であった。
【０００５】
この面倒な引き出し作業を行わずに、次の使用者がペーパーを容易に引き出すことのできるロールペーパーホルダーを出願人は既に提案している。このロールペーパーホルダーは、フレームからなるカバーに起伏可能の押さえ片を取り付け、そのカバー上で前後方向に前端から出し入れ可能にスライド板を設け、押さえ片とスライド板との間にリンク片を起伏可能に連結し、押さえ片とリンク片との間に取り付けられたばねにより、押さえ片を起立方向に付勢するようにしたものである（特許文献１）。
【０００６】
上記のロールペーパーホルダーの押さえ片をカバーに押し付けることにより、押さえ片がリンク片を介してスライド板を前端から突出させて、カバーの前端から突出させるとともに、カバーがロールペーパーの外周面を押し付ける。スライド板が前進した状態で、ペーパーを切断した後、押さえ片から手を離すと、押さえ片が付勢されているので、スライド板がカバー内に後退し、突出したスライド板の長さ分のペーパーがカバーの外側に残された状態となる。
【０００７】
ペーパーがあらかじめカバーの外側に引き出された状態であれば、次の使用者は、その引き出されているペーパーを引っ張って、必要な長さのペーパーを容易に引き出すことができる。
【先行技術文献】
【特許文献】
【０００８】
【特許文献１】特開２００８−１１３８５９号公報
【発明の概要】
【発明が解決しようとする課題】
【０００９】
しかしながら、この特許文献１に記載のロールペーパーホルダーは、カバーに押さえ片、スライド板及びリンク片を備えているため、カバー全体の重量が大きくなる。重量が大きくなると、ロールペーパーのペーパーを引き出す際、カバーとロールペーパーの表面との間の摩擦抵抗が大きくなる。その結果、あらかじめ引き出されたペーパーを引き出す際、ロールペーパーがスムーズに回転せず、ペーパーが破れるおそれがあった。
【００１０】
そこで、カバーと取り付け板との間にばね部材を設け、このばね部材によりカバーを上方に付勢することが考えられる。これにより、カバーがばね部材によって付勢された状態に支持されて、カバーとロールペーパーの表面との間の摩擦抵抗を軽減することができる。
【００１１】
しかし、押さえ片を付勢するばね部材のみならず、カバーと取り付け板との間に設けたばね部材が必要となり、部品点数が増える。また、ばね部材をカバーと取り付け板との間に設ける作業が追加されるという問題がある。
【００１２】
そこで、この発明の課題は、押さえ片の起立方向へ付勢と、カバーの支持を同じ弾性部材により行うようにすることにある。
【課題を解決するための手段】
【００１３】
上記の課題を解決するために、この発明のロールペーパー用切断具は、壁面に固定される取り付け板の両側に設けた一対の側板の間にロールペーパーを回転可能に保持するホルダー本体に前記ロールペーパーの外周面に沿って湾曲するカバーを揺動可能に設けたロールペーパーホルダーにおいて、そのカバー上に取り付けるロールペーパー用切断具であって、前記カバーに沿って湾曲する受け板と、前記受け板上で前後方向に前端から出し入れ可能に、かつ上方に前記受け板と一体となるように保持されるスライド板と、前記受け板の後端部に起伏可能に設けられる押さえ片と、前記押さえ片に一部が取り付けられる弾性部材とを有し、その弾性部材は前記取り付け板に向かって突出し、その突出端が前記取り付け板と前記カバーとの間に差し込まれて前記取り付け板に突き当たるものであり、前記スライド板はその前端縁が前記ロールペーパーの切り刃となり、前記スライド板と前記押さえ片とはリンク片により連結され、前記弾性部材を前記取り付け板と前記カバーとの間に差し込んだ状態で前記受け板は前記カバー上に固定され、前記弾性部材はその突出端を前記取り付け板に突き当てて前記押さえ片を起立方向に付勢し、前記押さえ片が前記受け板に向かって押さえられたときに、前記スライド板が前記リンク片を介して前方に向かって移動して前記受け板の前端から突出するようにした構成を採用したのである。
【００１４】
この構成を採用したロールペーパー用切断具をトイレに既存のロールペーパーホルダーのカバーに固定すると、手で押さえ片をカバーに向かって押さえたとき、スライド板はリンク片を介して前方に向かって移動してその前端縁が受け板の前端から突き出す。スライド板の前端縁が突き出た状態で、ペーパーをつまんで引き上げスライド板の前端縁に沿って、ペーパーをねじって切断する。
【００１５】
ペーパー切断後、押さえ片から手を離すと、押さえ片は、弾性部材により起立方向に付勢されているので、スライド板が受け板に沿って後方に向かって摺動し、スライド板の前端縁が受け板の前端縁よりも内側に後退する。これにより、突き出たスライド板の長さ分のペーパーがカバー（受け板）の外側に残された状態となる。残されたペーパーを引っ張って、次の使用者は必要な長さのペーパーを容易に引き出すことができる。
【００１６】
また、押さえ片は、弾性部材により起立方向に付勢されるとともに、起立状態に支持される。このため、リンク片を介してスライド板を支えて、スライド板がこれを上方に一体となるように保持する受け板を支える。このとき、受け板はカバーに固定されているため、カバーが押さえ片によって支えられる。すなわち、ロールペーパー用切断具の重量がかかるカバーが、弾性部材により起立方向に付勢される押さえ片により支持される。その結果、押さえ片の起立方向へ付勢と、カバーの支持を同じ弾性部材により行うことが可能となる。
【００１７】
この構成において、前記受け板に前記スライド板の後方への移動を一定位置で規制するストッパを備えたものを採用することができる。この場合、弾性部材により起立方向に付勢される押さえ片は、リンク片を介してスライド板を後方へ移動させる。このとき、スライド板はストッパにより後方への移動が規制される。ここで、押さえ片に作用する起立方向への付勢力は、移動の規制されたスライド板を持ち上げるように作用する。このため、スライド板がリンク片を介して押さえ片により確実に持ち上げられ、支持される。
【００１８】
この構成において、前記弾性部材が板ばねであり、前記板ばねはその一端部が前記押さえ片に取り付けられ、他端部が前記取り付け板に向かって突出する前記突出端とされたものを採用することができる。
【００１９】
この構成によると、押さえ片を手で押し付けることにより板ばねが撓んで弾性変形するとともに、リンク片を介してスライド板が前方に向かって移動してその前端縁が受け板の前端から突き出す。一方、押さえ片から手を離すことにより、板ばねの弾性復元力により押さえ片が起立方向に付勢され、板ばねが押さえ片を起立状態に支持する。
【００２０】
また、弾性部材が板ばねであるので、その板ばねを前記ホルダー本体の取り付け板と前記カバーの後端部との間に差し込み易く、ロールペーパー用切断具の取り付けが容易になる。
【００２１】
弾性部材としては、ねじりコイルばねを適用してもよい。そのねじりコイルばねはその一端部が前記押さえ片に設けられ、他端部が前記取り付け板に向かって突出する前記突出端とされ、前記ねじりコイルばねは、通常状態において、その他端部が前記取り付け板に突き当たるようにしたものを採用することができる。
【００２２】
ここで、通常状態とは、押さえ片に対して受け板に向かって押し付ける方向に、手による押し付け力などの外力が負荷されていない状態をいう。
弾性部材としてねじりコイルばねを適用すると、通常状態のねじりコイルばねにより、押さえ片は起立方向に付勢されて起立状態に支持される。この押さえ片を、ねじりコイルばねの開き角度（自由角度）を小さくしつつカバーに向かって押さえることにより、スライド板が前進し、開き角度が狭まった状態に弾性変形する。この状態のねじりコイルばねは、押さえ片から手を離すと、その弾性復元力により開き角度を広げる（大きくする）ように作用して、スライド板を後退させ、押さえ片を起立方向に付勢させ、押さえ片を起立状態に支持する。
【００２３】
また、受け板の周縁部、特にスライド板が前後に出し入れされる受け板の両側縁部によって手が傷つけられることを防止する目的で、前記受け板にその両側縁を覆う保護板を備え、その保護板は前記スライド板が前後方向に出し入れ可能な状態で前記受け板上に取り付けられた構成を採用することができる。
【００２４】
また、上記の課題を解決するために、この発明のロールペーパーホルダーとしては、壁面に固定される取り付け板の両側に設けた一対の側板の間にロールペーパーを回転可能に保持するホルダー本体に前記ロールペーパーの外周面に沿って湾曲するカバーを揺動可能に設けたロールペーパーホルダーにおいて、前記カバーは、その上部で前後方向に前端から出し入れ可能に、かつ上方には一体となるように保持されるスライド板と、そのカバーの後端部に起伏可能に設けられる押さえ片と、前記押さえ片に一部が取り付けられる弾性部材とを有し、その弾性部材は前記取り付け板に向かって突出し、その突出端が前記取り付け板と前記カバーとの間に差しこまれてその取り付け板に突き当たるものであり、前記スライド板はその前端縁が前記ロールペーパーの切り刃となり、前記スライド板と前記押さえ片とはリンク片により連結され、前記弾性部材はその突出端を前記取り付け板に突き当てて前記押さえ片を起立方向に付勢し、前記押さえ片が前記カバーに向かって押さえられたときに、前記スライド板が前記リンク片を介して前方に向かって移動して前記カバーの前端から突出するようにした構成を採用することができる。
【００２５】
この構成によると、押さえ片は、弾性部材により起立方向に付勢されるとともに、起立状態に支持される。このため、リンク片を介してスライド板を支えて、スライド板がこれを上方に一体となるように保持するカバーを支える。このカバーにはスライド板、押さえ片などの重量がかかるが、弾性部材により起立方向に付勢される押さえ片により支持されることとなる。したがって、押さえ片の起立方向へ付勢と、カバーの支持を同じ弾性部材により行うことが可能となる。
【発明の効果】
【００２６】
この発明は、押さえ片によりカバーが支持されることにより、カバーのロールペーパーの外周部に対する摩擦抵抗が軽減され、ロールペーパーのペーパーを破ることなく円滑に引き出すことが可能となる。
【図面の簡単な説明】
【００２７】
【図１】この発明のロールペーパー用切断具の実施例１を適用したロールペーパーホルダーを示す斜視図
【図２】同上のロールペーパーホルダーを示す分解斜視図
【図３】同上の実施例１を示す上面図
【図４】同上の実施例１を示す側面図
【図５】図２のＡ−Ａ線における断面図
【図６】図２のＢ−Ｂ線における断面図
【図７】同上の実施例１を適用したロールペーパーホルダーの使用前状態を示す断面図
【図８】同上のロールペーパーホルダーの使用状態を示す断面図
【図９】この発明のロールペーパー用切断具の実施例２を適用したロールペーパーホルダーを示す斜視図
【図１０】同上の実施例２の保護板の取り付け状態を示す斜視図
【図１１】同上の実施例２の保護板を示す断面図
【図１２】ロールペーパー用切断具の実施例３を示す上面図
【図１３】図１５のＣ−Ｃ線における断面図
【図１４】この発明のロールペーパー用切断具の実施例４を適用したロールペーパーホルダーを示す斜視図
【図１５】同上のロールペーパーホルダーを示す分解斜視図
【図１６】この発明の実施例４の変形例を示す斜視図
【発明を実施するための形態】
【００２８】
以下、この発明に係るペーパーホルダー用切断具の実施例１を図１〜図８に基づいて説明する。
【実施例１】
【００２９】
この実施例１でのロールペーパー用切断具１０は、図１に示すように、ロールペーパーＲが回転可能に保持された既存のロールペーパーホルダー１に取り付けられている。
【００３０】
ロールペーパーホルダー１は、図２に示すように、壁面（図示省略）に固定される取り付け板２の左右両側部に前方に突き出す一対の側板３、３が設けられたホルダー本体４と、両側板３、３間の上部に設けられる揺動軸５を介して揺動可能に設けられるカバー６とから構成される。
【００３１】
両側板３、３の前端部における内面対向位置に凹部（図示せず）が形成され、これら凹部間に両端部に係合突起を有する支持軸７が着脱自由に掛け渡されている。カバー６はロールペーパーＲの外周面に沿って湾曲し、揺動軸５を介してロールペーパーＲに接離するように上下方向に揺動可能となっており、支持軸７にロールペーパーＲが回転可能に挿通されている。
【００３２】
ロールペーパー用切断具１０は、ロールペーパーホルダー１のカバー６上に固定される受け板１１と、受け板１１上で前後方向に前端から出し入れ可能に保持されるスライド板１２と、受け板１１の後端部にヒンジ１３を介して起伏可能に設けられる押さえ片１４と、スライド板１２と押さえ片１４を連結するリンク片１５と、押さえ片１４に一部が設けられ、押さえ片１４の後端部からホルダー本体４の取り付け板２に向かって後方に突き出す弾性部材である板ばね２１とを備えている（図２参照）。
【００３３】
受け板１１は、前後方向に延びる基部１６とその基部１６の前端部分から左右両側に延びる受け部１７とからなるＴ字状に形成される。基部１６の後端部にヒンジ１３を介して押さえ片１４が起伏可能に設けられる。
【００３４】
受け板１１の基部１６は、図３に示すように、その後端部に筒体１６ａを有し（図７参照）、筒体１６ａの筒軸がホルダー本体４の揺動軸５に対して平行となっている。基部１６上の押さえ片１４は、その後端部が二又状をなし、両後端部に筒体１４ａ、１４ａがそれぞれ筒軸を一致させた状態に設けられている。
【００３５】
受け板１１の筒体１６ａと、その両側に配置された押さえ片１４の両筒体１４ａと、これに挿通する左右方向の軸体２０によりヒンジ１３が形成される（図５参照）。このヒンジ１３により、受け板１１の基部１６と、押さえ片１４とがヒンジ１３を介して回転可能に連結され、押さえ片１４が受け板１１に対して起伏可能となる。
【００３６】
受け板１１の受け部１７は、図１に示すように、カバー６と同じ幅にロールペーパーＲに沿って湾曲するように形成され、その上面にスライド板１２が湾曲方向に沿って前後方向に出し入れ可能に設けられる。受け部１７は、両側部の一部を上向きにかつ幅方向（左右方向）内向きに折り曲げたガイド片１８が形成され、基部１６側の端部（後端部）に、その一部を上向きにかつ前向きに折り曲げたストッパ１９が形成されている（図６参照）。
【００３７】
ガイド片１８は、受け部１７の片側の前後方向２箇所に間隔をおいて、両側で４箇所に設けられている。このガイド片１８によりスライド板１２は前後方向に移動可能に案内される。また、ガイド片１８が受け部１７の上部に設けられているため、スライド板１２が上方へ持ち上げられると、ガイド片１８によって受け部１７も上方へ一体に持ち上げられるようになっている。
【００３８】
ストッパ１９は、スライド板１２の前端縁が受け部１７の前端部よりも後方に位置する状態に、そのスライド板１２の後方への移動を規制する。規制されたスライド板１２により、リンク片１５を介して押さえ片１４を起立状態に保持することができる。
【００３９】
受け板１１上のスライド板１２は、その左右及び前後方向の幅が受け部１７と同じ幅に形成される。スライド板１２の両側部は、受け板１１の受け部１７とそのガイド片１８との間に挿し込まれて、ガイド片１８に係合する。これにより、スライド板１２が受け部１７の上面に沿って前後方向に移動可能に嵌められる。その移動により、スライド板１２が受け板１１の前端からその前端縁が出し入れ可能となる。
【００４０】
また、スライド板１２の前端縁は、前後方向に山形の凹凸を横幅方向に複数連続して設けた形状をなしており、ロールペーパーＲの切り刃となっている。この前端縁にロールペーパーＲのペーパーＰを引き上げて当てがい、そのペーパーＰを後方に向かってねじるようにすれば、ペーパーＰを容易に切断することができる。
【００４１】
押さえ片１４は、左右方向の幅が受け板１１の基部１６よりも広幅に形成され、前後方向の長さが、受け板１１の長さとほぼ同じ長さに形成されている（図３参照）。押さえ片１４の後端部に弾性部材としての板ばね２１が設けられる。
【００４２】
板ばね２１は、図４、５に示すように、その全長の半分が押さえ片１４の下面に沿う状態に配置されており、押さえ片１４側の先端部がその押さえ片１４に対して固定されている。また、板ばね２１の残部は押さえ片１４の後端部から両筒体１４ａ、１４ａ間をホルダー本体４の取り付け板２に向かって後方に突出している（図７参照）。板ばね２１の突出部は、ホルダー本体４の取り付け板２と、カバー６の後端部となる揺動軸５との間に差し込み可能で、かつその突出端がホルダー本体４の取り付け板２に突き当たる長さを有している。
【００４３】
板ばね２１を有する押さえ片１４とスライド板１２との間に一対のリンク片１５が回転可能に取り付けられている。一対のリンク片１５の取り付けは、図３に示すように、スライド板１２と押さえ片１４の中央（左右方向の中央）に設けられたヒンジ２２、２３を介してなされる。
【００４４】
両ヒンジ２２、２３は、図３に示すように、左右方向両側に筒部２２ａ、２２ａ（２３ａ、２３ａ）を備え、筒部２２ａ、２３ａの筒軸がヒンジ１３の軸体２０と平行に設けられる。一対のリンク片１５は、両端部が同じ向きに直角に折り曲げた線材から形成され、その両折り曲げ部が、左右方向内向きとなる状態で、ヒンジ２２の筒部２２ａとヒンジ２３の筒部２３ａに、その間を掛け渡すようにそれぞれ差し込まれる（図２参照）。
【００４５】
この一対のリンク片１５、１５によりスライド板１２と押さえ片１４とが連結される。なお、両ヒンジ２２、２３のスライド板１２と押さえ片１４に対する設置位置は、図４に示すように、押さえ片１４を受け板１１に向かって押し付けたときに、スライド板１２が受け板１１の受け部１７から脱落しない位置に設けられる。
【００４６】
図７に示すように、受け板１１がカバー６上に図示しない公知の固定手段により固定されるとともに、押さえ片１４の板ばね２１がホルダー本体４の取り付け板２とカバー６の後端部である揺動軸５との間に差し込まれる。差し込まれた板ばね２１は、その後端部がホルダー本体４の取り付け板２に突き当たり、押さえ片１４の後端部と取り付け板２の間に配置され、押さえ片１４を起立状態に付勢する。
【００４７】
板ばね２１により付勢される押さえ片１４は、起立状態に支持され、リンク片１５を介してスライド板１２を支え、スライド板１２は、これに係合するガイド片１８およびストッパ１９により上方には一体となるように保持する受け板１１を支える。このとき、受け板１１はカバー６に固定されるため、カバー６が押さえ片１４によって支えられる。
【００４８】
また、押さえ片１４を受け板１１に向かって手で押さえると、図８に示すように、板ばね２１が撓み、一対のリンク片１５がヒンジ２３を支点として受け板１１の受け部１７の表面に沿うように回動し、スライド板１２を前進させる。一方、押さえ片１４から手を離すと、板ばね２１の弾性復元力により、リンク片１５が受け板１１の受け部１７の表面に対して起立するように回動し、スライド板１２を後退させるとともに押さえ片１４を起立させる（図７参照）。このようにして、押さえ片１４が起立方向に付勢される。
【００４９】
また、押さえ片１４を押さえれば、その押さえ片１４によりカバー６がロールペーパーＲの外周面を押し付け、そのロールペーパーＲの回転が規制される。その回転が規制された状態では、ペーパーＰは、つまんで引き上げてもロールペーパーＲからさらに引き出されることがないため、そのペーパーＰをスライド板１２の前端縁に当てがって後方に向かってねじるようにすればペーパーＰを切断することができる。
【００５０】
この実施例１のロールペーパー用切断具１０は、以上のように構成され、次に使用方法について説明する。
まず、トイレの壁面に固定された既存のロールペーパーホルダー１のカバー６上にロールペーパー用切断具１０の受け板１１を固定する。すなわち、受け板１１のヒンジ１３の軸体２０と、カバー６の後端部の揺動軸５とが平行となるように、受け板１１の後端部（ヒンジ１３）をカバー６の後端部（揺動軸５）に沿わせて、押さえ片１４の板ばね２１の突出部をホルダー本体４とカバー６の後端部との間に差し込み、板ばね２１の突出端を取り付け板２に突き当てる。そして、受け板１１の受け部１７とカバー６と両側端を揃えた状態で、カバー６に受け板１１を公知の固定手段（例えば、両面テープ、等）により固定する。
【００５１】
次に、カバー６上の押さえ片１４を押さえる。このとき、ヒンジ２３を支点としてリンク片１５が受け板１１の受け部１７に沿うように（ロールペーパーＲの周面に沿うように）回動する。このリンク片１５は、ヒンジ２２を介してスライド板１２に連結しているので、その回動により、スライド板１２が受け板１１の受け部１７上を前方に向かって摺動する。スライド板１２が摺動すると、その前端縁が受け部１７の前端縁から突き出る（図８参照）。
【００５２】
スライド板１２の前端縁が突き出た状態で、ペーパーＰをつまんで引き上げスライド板１２の前端縁に沿って、ペーパーＰをねじって切断する。
【００５３】
ペーパー切断後、押さえ片１４から手を離すと、押さえ片１４は、板ばね２１により起立方向に付勢されているので、リンク片１５を介してスライド板１２は受け板１１の受け部１７に沿って後方に向かって摺動し、ストッパ１９により後方への移動が規制されて、スライド板１２の前端縁が受け部１７の前端縁よりも内側に後退する。これにより、引き出したスライド板１２の長さ分のペーパーＰがカバー６（受け板１１の受け部１７）の外側に残された状態となる。
【００５４】
このペーパーＰがカバー６の外側に引き出されているので、次の使用者は、引き出されているペーパーＰを引っ張って、必要な長さのペーパーを容易に引き出すことができる。
【００５５】
また、スライド板１２の前端縁が受け部１７の前端縁よりも内側に後退している状態では、押さえ片１４は、板ばね２１により起立方向に付勢されるとともに、起立状態に支持され、リンク片１５を介してスライド板１２は、ストッパ１９により後方への移動が規制される。
【００５６】
規制されたスライド板１２には、押さえ片１４に作用する起立方向への付勢力は、スライド板１２が規制された時点で、スライド板１２を持ち上げるように作用する。すなわち、付勢力が作用するスライド板１２は、これに係合するガイド片１８およびストッパ１９により上方には一体となるように保持する受け板１１を支える。ここで、受け板１１はカバー６に固定されているため、カバー６が押さえ片１４によって支持されることとなる。その結果、押さえ片１４の起立方向へ付勢と、カバー６の支持を板ばね２１により行うことが可能となる。
【００５７】
また、ロールペーパー用切断具１０の重量がかかるカバー６が、板ばね２１により起立方向に付勢される押さえ片１４により支持されているので、カバー６の重量によるロールペーパーＲに対する押し付け力が軽減され、ロールペーパーＲのペーパーＰを破ることなく円滑に引き出すことが可能となる。
【実施例２】
【００５８】
次に、この発明に係る実施例２を図９に示す。この実施例では、同図に示すように、受け板１１の受け部１７にスライド板１２を覆う保護板２４を備え、その保護板２４はスライド板１２が前後方向に出し入れ可能な状態で受け部１７上に取り付けられている点で前述の実施例１の構成と相違し、その他の構成は、前記実施例１の構成と同様である。
【００５９】
この保護板２４は、図１０に示すように、スライド板１２を覆う板状部材からなり、その両側部に受け部１７のガイド片１８の左右方向の外側に係合するサイド部２５が一体に形成されている（図１１参照）。また、保護板２４の後端側中央にはぬすみ部分が設けられ、スライド板１２の前後方向の出し入れに伴って移動するリンク片１５とヒンジ２２が突き当たることを防止している。
【００６０】
保護板２４を受け板１１に取り付けることにより、受け板１１の受け部１７とスライド板１２の両側縁や、スライド板１２の切り刃で、手や指を傷つけることを防止することができる。
【実施例３】
【００６１】
この発明に係る実施例３を図１２に示す。この実施例では、同図に示すように、押さえ片１４を起立方向に付勢する弾性部材を板ばね２１に代えてねじりコイルばね２６とした点で前述の実施例１の構成と相違し、その他の構成は、前記実施例１の構成と同様である。
【００６２】
この実施例３において、ねじりコイルばね２６はコイル部分がヒンジ１３の軸体２０の２箇所に挿通されている。両ねじりコイルばね２６の一端部が、図１３に示すように、押さえ片１４の下面に突き当たる状態に設けられ、他端部がホルダー本体４の取り付け板２に向かって後方に突出する突出端とされ、押さえ片１４より後方に位置している。ねじりコイルばね２６は、ロールペーパー用切断具１０をカバー６に取り付ける際、突出端がホルダー本体４の取り付け板２とカバー６の間に差し込まれ、取り付け板２に突き当てられる。
【００６３】
ホルダー本体４の取り付け板２とカバー６の間に差し込まれたねじりコイルばね２６は、押さえ片１４が受け板１１に向かって押さえられると、突出端が取り付け板２に突き当たって自由角度が小さくなる向きに撓む。そして、その弾性復元力により自由角度が大きくなる向きに撓みが復元して、押さえ片１４を起立方向に付勢する。ねじりコイルばね２６は、そのコイル部分をヒンジ１３の軸体２０を挿入することで、容易に押さえ片１４に取り付けることができる。
【００６４】
ねじりコイルばね２６により付勢される押さえ片１４は、実施例１の場合と同様、リンク片１５を介してスライド板１２を支え、スライド板１２は、これに係合するガイド片１８およびストッパ１９で保持する受け板１１を支える。受け板１１は、カバー６に固定されるため、カバー６が押さえ片１４によって支持される。
【００６５】
この発明に係る実施例４を図１４に示す。この実施例４では、同図に示すように、ロールペーパーホルダー１において、前述した実施例１でのロールペーパー用切断具１０の受け板１１をカバー６をとし、揺動軸５の代わりにヒンジ１３の軸体２０を取り付けたものである。その他の構成は、実施例１でのロールペーパー用切断具１０を適用したロールペーパーホルダー１の構成と同様である。
【００６６】
すなわち、この実施例４でのロールペーパーホルダー１は、図１５に示すように、ホルダー本体４の一対の側板３、３の上部の間に、ロールペーパー用切断具１０のヒンジ１３の軸体２０を掛け渡すように固定し、軸体２０にカバー６（受け板１１）が揺動可能に設けられたものである。
【００６７】
カバー６は、その上部で前後方向に前端から出し入れ可能に保持されるスライド板１２と、カバー６の後端部にヒンジ１３を介して起伏可能に設けられる押さえ片１４と、スライド板１２と押さえ片１４を連結するリンク片１５と、押さえ片１４に一部が設けられ、押さえ片１４の後端部からホルダー本体４の取り付け板２に向かって後方に突き出す弾性部材としての板ばね２１とを備えている（図１５参照）。
【００６８】
押さえ片１４はその幅（左右方向の幅）がホルダー本体４の一対の側板３の間隔と同じ長さに形成されている。これにより、押さえ片１４が実施例１のものよりも幅広になり、ロールペーパーＲの幅方向の全体が覆われ、幅広である押さえ片１４が押さえ易くなる。
【００６９】
このような構成の実施例４のロールペーパーホルダー１は、例えば、トイレ内の便器付近の壁面に新規に取り付ける際に使用するものであり、実施例１でのロールペーパー用切断具を適用したロールペーパーホルダー１の場合と同様に、押さえ片１４は、板ばね２１により起立方向に付勢され、起立状態に支持される。
【００７０】
板ばね２１により起立状態に支持される押さえ片１４は、リンク片１５を介してスライド板１２を支え、スライド板１２は、これに係合するガイド片１８で保持するカバー６を支える。このようにして、カバー６は板ばね２１で起立方向に付勢される押さえ片１４により支持される。したがって、押さえ片１４の起立方向へ付勢と、カバー６の支持を同じ板ばね２１により行うようにすることが可能となる。
【００７１】
さらに、カバー６にはスライド板１２、押さえ片１４などの重量がかかるが、そのカバー６が押さえ片１４により支持されるので、そのカバー６の重さによるロールペーパーＲに対する押し付け力が軽減され、ロールペーパーＲのペーパーＰを破ることなく円滑に引き出すことが可能となる。
【００７２】
なお、実施例４の変形例として、図１６示すように、弾性部材を板ばね２１の代わりに、実施例３でのロールペーパー用切断具を適用したロールペーパーホルダー１の場合と同様に、ねじりコイルばね２６とすることができる。
【００７３】
この変形例においても、ねじりコイルばね２６により起立状態に支持される押さえ片１４は、リンク片１５を介してスライド板１２を支え、スライド板１２は、これに係合するガイド片１８で保持するカバー６を支える。
【符号の説明】
【００７４】
１  ロールペーパーホルダー
２  取り付け板
３  側板
４  ホルダー本体
５  揺動軸
６  カバー
７  支持軸
１０  ロールペーパー用切断具
１１  受け板
１２  スライド板
１３  ヒンジ
１４  押さえ片
１４ａ  筒体
１５  リンク片
１６  基部
１６ａ  筒体
１７  受け部
１８  ガイド片
１９  ストッパ
２０  軸体
２１  板ばね（弾性部材）
２２  ヒンジ
２２ａ  筒部
２３  ヒンジ
２３ａ  筒部
２４  保護板
２５  サイド部
２６  ねじりコイルばね
Ｒ  ロールペーパー
Ｐ  ペーパー
【図１】
2011103995.tif 000003
【図２】
2011103995.tif 000004
【図３】
2011103995.tif 000005
【図４】
2011103995.tif 000006
【図５】
2011103995.tif 000007
【図６】
2011103995.tif 000008
【図７】
2011103995.tif 000009
【図８】
2011103995.tif 000010
【図９】
2011103995.tif 000011
【図１０】
2011103995.tif 000012
【図１１】
2011103995.tif 000013
【図１２】
2011103995.tif 000014
【図１３】
2011103995.tif 000015
【図１４】
2011103995.tif 000016
【図１５】
2011103995.tif 000017
【図１６】
2011103995.tif 000018